(57)【要約】【課題】構造が簡単で防水機能を具備するキーボードアセンブリ及びこれを用いた電子装置を提供すること。【解決手段】本発明に係る防水キーボードアセンブリは、電子装置のハウジングに装着され、押しボタン及び前記押しボタンに密封するように当止されている弾性部品を備える。前記押しボタンは押圧部及び前記押圧部の片側から延在する脱落防止部を含み、前記弾性部品はラッパ型に形成される弾性周壁を含む。前記弾性周壁の一端は前記押圧部に互いに密封するように当止し、前記弾性周壁の他端は前記電子装置のハウジングに当止する。【選択図】図１
2011222492.tif 000002
【特許請求の範囲】
【請求項１】
電子装置のハウジングに装着される防水キーボードアセンブリであって、前記防水キーボードアセンブリは、押しボタン及び前記押しボタンに密封するように当止されている弾性部品を備え、
前記押しボタンは押圧部及び前記押圧部の片側から延在する脱落防止部を含み、前記弾性部品はラッパ型に形成される弾性周壁を含み、
前記弾性周壁の一端は前記押圧部に互いに密封するように当止し、前記弾性周壁の他端は前記電子装置のハウジングに当止することを特徴とするキーボードアセンブリ。
【請求項２】
前記弾性周壁の前記押圧部に近い一端には、前記押圧部に緊密に当接する天井板が設けられ、
前記天井板には、前記脱落防止部を通過させるための開口及び前記押圧部から離れるように突出する中空の触発部が設けられていることを特徴とする請求項１に記載のキーボードアセンブリ。
【請求項３】
前記押圧部の背面には、前記脱落防止部に隣接してコンタクト部が設けられており、前記コンタクト部は前記触発部内に装入され、
前記押しボタンが押圧されると、前記コンタクト部は前記触発部を突き上げて、前記触発部が前記電子装置の内部接点に接触することを特徴とする請求項２に記載のキーボードアセンブリ。
【請求項４】
ハウジングと、押しボタンと、前記ハウジングと前記押しボタンとの間に密封するように当止されている弾性部品と、を備えてなる電子装置であって、
前記押しボタンは押圧部及び前記押圧部の片側から延在する脱落防止部を含み、前記弾性部品はラッパ型に形成される弾性周壁を含み、
前記脱落防止部は前記ハウジングに係止され、前記弾性周壁の一端は前記押圧部に互いに密封するように当止し、前記弾性周壁の他端は前記電子装置のハウジングに当止することを特徴とする電子装置。
【発明の詳細な説明】
【技術分野】
【０００１】
本発明は、防水機能を備えるキーボードアセンブリに関し、特に電子装置に用いられる防水機能を備えるキーボードアセンブリに関するものである。
【背景技術】
【０００２】
従来の電子装置においては、キーボードアセンブリと電子装置のハウジングとの間に、通常隙間が存在するため、水や塵などが電子装置の内部に入って、回路基板などの部品に損害が発生する問題がよく起こる。
【発明の概要】
【発明が解決しようとする課題】
【０００３】
今まで、防水機構を具備するキーボードアセンブリが設計されたが、これらのキーボードアセンブリは、脱落防止フックの外周に弾性壁を設けて、前記弾性壁を前記キーボードアセンブリの本体部と移動部との間に挟持して活動空間を形成し、且つ前記弾性壁は前記キーボードアセンブリの本体部及び移動部にそれぞれ密封して、防水機能を実現する。しかし、前記脱落防止フックの構造が余りにも複雑であるので、製造及びメンテナンスは不便になる。
【０００４】
そこで、本発明は上記の問題点を考慮してなされたものであり、構造が簡単であり、且つ防水機能を具備するキーボードアセンブリ及びこれを用いた電子装置を提供することを目的とする。
【課題を解決するための手段】
【０００５】
前記課題を解決するために、本発明に係る防水キーボードアセンブリは、電子装置のハウジングに装着され、押しボタン及び前記押しボタンに密封するように当止されている弾性部品を備える。前記押しボタンは押圧部及び前記押圧部の片側から延在する脱落防止部を含み、前記弾性部品はラッパ型に形成される弾性周壁を含む。前記弾性周壁の一端は前記押圧部に互いに密封するように当止し、前記弾性周壁の他端は前記電子装置のハウジングに当止する。
【０００６】
本発明に係る電子装置は、ハウジングと、押しボタンと、前記ハウジング及び前記押しボタンの間に密封するように当止されている弾性部品と、を備えてなる。前記押しボタンは押圧部及び前記押圧部の片側から延在する脱落防止部を含み、前記弾性部品はラッパ型に形成される弾性周壁を含む。前記脱落防止部は、前記弾性周壁を貫いて前記ハウジングに係止されて、前記弾性周壁を前記ハウジングと前記押圧部との間に密封するように挟持する。
【発明の効果】
【０００７】
従来の技術に比べて、本発明に係る防水キーボードアセンブリは、脱落防止部が設けられた押しボタン及び弾性周壁を有する弾性部品を備える。前記押しボタンの脱落防止部は前記弾性部品を貫いて電子装置のハウジングに係止されて、前記弾性部品を前記ハウジングと前記押しボタンとの間に密封するように挟持するので、前記防水キーボードアセンブリ及び前記電子装置は防水機能を具備する。
【図面の簡単な説明】
【０００８】
【図１】本発明の第一実施形態に係る防水キーボードアセンブリを備える電子装置の局部的な立体分解図である。
【図２】図１に示した電子装置を別の視角から見た立体分解図である。
【図３】図１に示した電子装置の組立図である。
【図４】図３に示した電子装置のＩＶ−ＩＶ線に沿う断面図である。
【図５】本発明の第二実施形態に係る防水キーボードアセンブリを備える電子装置の構造を示す図である。
【発明を実施するための形態】
【０００９】
本発明に係る防水キーボードアセンブリは、携帯電話、個人用携帯情報端末（ＰＤＡ）などの電子装置に用いられ、前記電子装置の側面に設けられるショートカットキー又は電子装置の主面に設けられるファンクション・キーエリアであることができる。以下の実施形態では、ショートカットキーを例として説明する。
【００１０】
図１に示したように、本発明の電子装置１００は、ハウジング１０及び前記ハウジング１０の側面に設けられる防水キーボードアセンブリ２０を備える。前記防水キーボードアセンブリ２０は、１つの押しボタン２２及び前記ハウジング１０と前記押しボタン２２との間に装着される２つの弾性部品２４を含む。
【００１１】
前記ハウジング１０の側面には、略矩形であり且つ細長い取付凹所１２が設けられている。前記取付凹所１２は、底壁１２２及び周壁１２４により囲まれて形成される。前記底壁１２２の両端には、前記ハウジング１０を貫く１つの係合用穴１２２２がそれぞれに設けられている。各係合用穴１２２２の他方の係合用穴１２２２から離れる片側には、1つの開口１２２４がそれぞれに設けられている。
【００１２】
図２を参照すると、前記押しボタン２２は押圧部２２２を備え、前記押圧部２２２は略長方形の板状体であり、指当て面２２２２、前記指当て面２２２２に対向し前記弾性部品２４に当止する当接面２２２４、対向する２つの側面２２２６及び対向する２つの端面２２２８を含む。前記当接面２２２４には、２つの脱落防止部２２４及び２つのコンタクト部２２６が凸設されている。本実施形態において、前記脱落防止部２２４は、前記弾性部品２４及び前記ハウジング１０を貫く連接部２２４２及び前記連接部２２４２の端部から折り曲げられるフック部２２４４を含む。前記押しボタン２２が押圧されると、前記コンタクト部２２６は前記弾性部品２４を突き上げて前記電子装置１００を触発する。
【００１３】
前記弾性部品２４は略キャップ状の物であり、平らな天井板２４２及び前記天井板２４２の周縁から折り曲げられて形成する弾性側壁２４４を含む。前記天井板２４２には、開口２４２２が設けられており、前記開口２４２２に近い前記天井板２４２から前記ハウジング１０に向かって中空の触発部２４２４が突出される。本実施形態において、前記弾性側壁２４４の断面サイズが前記天井板２４２から前記ハウジング１０に向って徐々に大きくなって、ラッパ型を呈する。
【００１４】
以下、図１乃至図４を参照しながら、本発明の電子装置１００の組立ステップについて詳細に説明する。
【００１５】
まず、前記２つの弾性部品２４を前記ハウジング１０の取付凹所１２内に置いて、前記弾性側壁２４４が前記取付凹所１２の底壁１２２に当止されるまで、前記２つの弾性部品２４の２つの触発部２４２４をそれぞれ前記ハウジング１０の２つの開口１２２４内に挿入する。続いて、前記弾性部品２４の位置を少々アライメントして、前記弾性部品２４の開口２４２２と前記ハウジング１０の係合用穴１２２２との位置を合せてから、前記ハウジング１０に向って前記押しボタン２２を押圧して、前記脱落防止部２２４を前記弾性部品２４の開口２４２２及び前記ハウジング１０の係合用穴１２２２に順次に貫かせると共に、前記コンタクト部２２６を前記弾性部品２４の触発部２４２４内に装入する。
【００１６】
前記脱落防止部２２４が前記ハウジング１０の係合用穴１２２２を貫く過程において、前記ハウジング１０は前記脱落防止部２２４のフック部２２４４を押し退けて、前記連接部２２４２を湾曲させてそれに弾性力を蓄積させる。前記押しボタン２２の押圧部２２２は前記弾性部品２４の天井板２４２を押圧して、前記弾性部品２４の弾性側壁２４４を前記ハウジング１０の取付凹所１２の底壁１２２に弾性的に当止させる。前記フック部２２４４が前記係合用穴１２２２を貫いた後、前記連接部２２４２は弾性力を解放して伸展しながら前記フック部２２４４を駆動して、前記フック部２２４４を前記ハウジング１０に緊密に係止させる。これで、前記電子装置１００の組立てを完成する。この際、前記押しボタン２２の当接面２２２４、前記弾性部品２４の弾性側壁２４４及び前記取付凹所１２の底壁１２２は、共同で取り囲んで密封された空間を形成する。
【００１７】
前記電子装置１００の内部には、前記触発部２４２４に対応する複数の接点（図示せず）が設けられているので、前記防水キーボードアセンブリ２０を使用する場合、前記押しボタン２２の一方側の端面２２２８に近い指当て面２２２２（即ち、図３に示されている三角形記号の辺り）を押圧すると、前記三角形記号エリアの背面に設けられた前記コンタクト部２２６は前記弾性部品２４の触発部２４２４を突き上げて、前記触発部２４２４が前記電子装置１００の内部接点に接触して１つの機能（例えば音量を低く調節すること）を実現する。同じく、前記押しボタン２２の他方側の端面２２２８に近い指当て面２２２２を押圧すると、前記弾性部品２４の他の１つの触発部２４２４が突き上げられて、前記電子装置１００の内部接点を接触して他の機能（例えば音量を高く調節すること）を実現する。
【００１８】
図５に示したように、前記電子装置１００に防水機能を持たせるために、前記ハウジング１０上に密封された空間を形成しなければならなく、前記密封された空間は前記押しボタン２２の当接面２２２４、前記弾性部品２４の弾性側壁２４４及び前記取付凹所１２の底壁１２２のみによって構成できるので、前記弾性部品２４の天井板２４２を省略してもよい。この場合、本発明の防水キーボードアセンブリ２０の触発機能を実現するために、前記弾性部品２４の触発部２４２４に代えて、前記押しボタン２２の背面のコンタクト部２２６の長さを長くする。
【００１９】
本発明によれば、前記電子装置１００の弾性部品２４の天井板２４２はずっと前記押しボタン２２の当接面２２２４に当止すると共に、前記弾性側壁２４４もずっと前記ハウジング１０の取付凹所１２の底壁１２２に弾性的に当止するので、前記ハウジング１０上の係合用穴１２２２及び開口１２２４は前記弾性部品２４に密封されて、水や塵などが前記ハウジング１０の中に入ることが効果的に防止される。
【００２０】
また、携帯電話上のファンクションキーのように、前記押しボタン２２の背面に複数のコンタクト部２２６を設けてもよい。即ち、本発明に係る防水キーボードアセンブリ２０は既存のキーボードアセンブリより、構造が簡単で製造し易いという利点がある。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２２】
１０        ハウジング
１２        取付凹所
２０        防水キーボードアセンブリ
２２        押しボタン
２４        弾性部品
１００      電子装置
１２２      底壁
１２４      周壁
２２２      押圧部
２２４      脱落防止部
２４２      天井板
２４４      弾性側壁
１２２２    係合用穴
１２２４    開口
２２２２    指当て面
２２２６    側面
２２２８    端面
２２４２    連接部
２２４４    フック部
２４２２    開口
２４２４    触発部
【図１】
2011222492.tif 000003
【図２】
2011222492.tif 000004
【図３】
2011222492.tif 000005
【図４】
2011222492.tif 000006
【図５】
2011222492.tif 000007